(57)【要約】【課題】二つ折りした底部材を、折り部を上にして表裏のフィルムの下端に挟み込み、周縁部をシールした自立性包装袋で、底部材が広がった状態で保持され、自立性が確保された自立性包装袋を提供する。【解決手段】二つ折りした底部材３を、折り部を上にして表フィルム１と裏フィルム２の下端に挟み込み、周縁部をシールした自立性包装袋１００であって、底部材に内容物収納部とは別の独立充填室６が設けられている。底部材が外面側フィルム３ａと内面側フィルム３ｂとからなる積層フィルムで、外面側フィルムと内面側フィルムの間に独立充填室が設けられている。【選択図】図２
2015000726.tif 000002
【特許請求の範囲】
【請求項１】
二つ折りした底部材を、折り部を上にして表裏のフィルムの下端に挟み込み、周縁部をシールした自立性包装袋であって、底部材に内容物収納部とは別の独立充填室が設けられていることを特徴とする自立性包装袋。
【請求項２】
前記自立性包装袋が、前記底部材の挟まれた部分が船底型にシールされたスタンディングパウチ形式であることを特徴とする請求項１に記載の自立性包装袋。
【請求項３】
前記独立充填室を切断するための易切断機構が設けられていることを特徴とする請求項１または２に記載の自立性包装袋。
【請求項４】
前記底部材が積層フィルムからなり、該積層フィルムの層間に独立充填室が設けられていることを特徴とする請求項１から３のいずれか１項に記載の自立性包装袋。
【発明の詳細な説明】
【技術分野】
【０００１】
本発明は、自立性包装袋に関するものである。
【背景技術】
【０００２】
自立性包装袋は、金属缶やプラスチック成形容器と異なり、材料が少なく省資源であり、廃棄時に減容化できることから、また、店舗で立たせて陳列でき、目を引きやすいことから、シャンプー、リンス、ボディソープ、液体洗剤、柔軟剤に代表されるトイレタリー製品などの液体内容物を、繰り返し使用するプラスチック製容器に詰替える用途などに、自立性包装袋が使われることが多くなってきた。
【０００３】
この自立性包装袋では、底が船底型にシールされたスタンディングパウチ形式のものが一般的に用いられている。このような自立性包装袋でも用いる包装材料の腰が不足すると、商品陳列時に自立性が不足したりする恐れがあり、更に検討の余地があった。
【０００４】
そのため、例えば、スタンディングパウチ形式によって形成され、且つ、袋の胴部及び底部を形成する周縁シール部内、または周縁シール部以外の内容物収納部に隣接する場所に意図的に設けられたシール部に、内容物収納部とは異なる、片方のサイドシール部から注出口先端近傍に至る位置まで内容物の注出経路に沿う形で設けたサイドシール部と、もう一方のサイドシール部及び底部が連通した独立充填室が設けられている自立性包装袋がある（特許文献１）。
【０００５】
しかし、この自立性包装袋においては、底部の周縁シール部が独立充填室により膨らんでいるため、二つ折りして底部に挟み込んだ底部材が広がることができずに、自立性が損なわれる恐れがある。
【０００６】
公知文献を以下に示す。
【先行技術文献】
【特許文献】
【０００７】
【特許文献１】特許第４７３６３６４号公報
【発明の概要】
【発明が解決しようとする課題】
【０００８】
本発明は上記した事情に鑑みてなされたもので、二つ折りした底部材を、折り部を上にして表裏のフィルムの下端に挟み込み、周縁部をシールした自立性包装袋で、底部材が広がった状態で保持され、自立性が確保された自立性包装袋を提供することを課題としている。
【課題を解決するための手段】
【０００９】
本発明の請求項１に係る発明は、二つ折りした底部材を、折り部を上にして表裏のフィルムの下端に挟み込み、周縁部をシールした自立性包装袋であって、底部材に内容物収納部とは別の独立充填室が設けられていることを特徴とする自立性包装袋である。
【００１０】
本発明の自立性包装袋は、以上のような構成であって、二つ折りし、折り部を上にして表裏のフィルムの下端に挟み込み、周縁部をシールした底部材が独立充填室によって広がった状態で保持され、自立性を確保することができる。
【００１１】
本発明の請求項２に係る発明は、前記自立性包装袋が、前記底部材の挟まれた部分が船底型にシールされたスタンディングパウチ形式であることを特徴とする請求項１に記載の自立性包装袋である。
【００１２】
本発明は、自立性包装袋が、スタンディングパウチ形式であるので、より安定して自立性を確保することができる。
【００１３】
本発明の請求項３に係る発明は、前記独立充填室を切断するための易切断機構が設けられていることを特徴とする請求項１または２に記載の自立性包装袋である。
【００１４】
本発明は、自立性包装袋に、独立充填室を切断するための易切断機構が設けられているので、廃棄するときに、独立充填室を切断して、充填物を出すことができ、減容化して廃棄することができる。
【００１５】
本発明の請求項４に係る発明は、前記底部材が積層フィルムからなり、該積層フィルムの層間に独立充填室が設けられていることを特徴とする請求項１から３のいずれか１項に記載の自立性包装袋である。
【００１６】
本発明は、自立性包装袋が、底部材が積層フィルムからなり、積層フィルムの層間に独立充填室が設けられているので、底部材を積層するときに、未積層部を設ける必要はあるが、製袋には従来の製袋機が特に大きな改造することなく、そのまま使用できる。
【発明の効果】
【００１７】
本発明の自立性包装袋は、二つ折りし、折り部を上にして表裏のフィルムの下端に挟み込み、周縁部をシールした底部材が広がった状態で保持され、自立性を確保することができる。
【図面の簡単な説明】
【００１８】
【図１】本発明の自立性包装袋の一例を模式的に正面で示した説明図である。
【図２】本発明の自立性包装袋の一例で独立充填室を膨らませた状態を、図１のＸ−Ｘ断面で模式的に示した説明図である。
【図３】本発明の自立性包装袋の他の例の底部材の独立充填室を模式的に示した説明図である。
【図４】本発明の自立性包装袋の一例の独立充填室に充填物を充填する様子を模式的に断面で示した説明図である。
【発明を実施するための形態】
【００１９】
以下、本発明を実施するための形態につき説明する。
図１は、本発明の自立性包装袋の一例を模式的に正面で示した説明図である。図２は、本発明の自立性包装袋の一例で独立充填室を膨らませた状態を、図１のＸ−Ｘ断面で模式的に示した説明図である。図３は、本発明の自立性包装袋の他の例の底部材の独立充填室の形状を模式的に示した説明図である。
【００２０】
本例の自立性包装袋１００は、図１の正面図、図２の断面図に示すように、重ね合わせた表フィルム１と裏フィルム２の下端に、二つ折りした底部材３が、折り部を上にして挟み込まれ、周縁部がシールされている。
【００２１】
本例の自立性包装袋１００は、底部材３を挿入した底部が、周縁部が船底型にシールされていて、船底型シール部４になっていて、スタンディングパウチ形式になっている。尚、二つ折りした底部材３の両端には、切り欠き部５が設けられていて、この切り欠き部５で表フィルム１と裏フィルム２が互いにシールされていて、底部の両端が開かないようになっている。
【００２２】
底部材３は、少なくとも外面側フィルム３ａと内面側フィルム３ｂからなる積層フィルムからなっていて、自立性包装袋１００の底になる位置に未積層部が設けられていて、この未積層部の層間に内容物収納部とは別の独立充填室６が設けられている。本例では独立充填室６は、底部材３の周縁シールを除いた部分の略全面に設けられている。
【００２３】
本例では、独立充填室６を底部材３の周縁シールを除いた部分の略全面に設けたが、必ずしも全面に設けなくとも、底部材３の周縁シールを除いた部分に設ければ良い。例えば、図３の底部材３１のように、底部材３１の周縁シールを除いた部分に底部材３１の広がる方向に、細長い複数の棒状とそれらをつなぐ直交方向の棒状を組み合わせて形状にしても良い。
【００２４】
また、船底型シール部４には、独立充填室６に連通する連絡路７と、連絡路７を外部と連絡させ、独立充填室６に充填物を充填するための充填口８が設けられている。連絡路７は、独立充填室６と同様に未積層部でなっている。また、充填口８は、独立充填室６に充填物を充填後、接着剤やシーラント層を設けた封止ラベルを貼着して封止してもよい。
【００２５】
このようにして、独立充填室６に充填物を充填して膨らませることにより、二つ折りされていた底部材３が開いて、自立性包装袋１００の底を形成し、自立性を確保することができる。
【００２６】
独立充填室６を膨らませる充填物には、空気や窒素ガスなどの気体が使用できる。また、水や油などの液体を使用することができる。更には、これらと共に無機粉末や発泡樹脂などの固体を充填することもできる。
【００２７】
特に独立充填室６に気体を充填しておくと、内容物が液体で落下などの衝撃を受けた場合に、衝撃により発生した圧力が液体では、そのまま全方向に向かうが、独立充填室６に充填された気体が、体積変化して圧力を緩和することができる。そのため、落下などの衝撃に対しての耐性が向上する。
【００２８】
周縁部のシールのうちサイドシール部９には、自立性包装袋１００を開封するためのノッチ１０を設けている。ノッチ１０は本例では一方のサイドシール部９に設けているが、左右両方のサイドシール部９、９に設けても良い。また、開封するためのハーフカット線を一方のサイドシール部から他方のサイドシール部の両端まで設けても良い。
【００２９】
船底型シール部４にも、独立充填室６を切断し、開放するためのノッチ１１が設けられている。本例では、ノッチを設けているが、ハーフカット線などの他の易切断機構を設けても良い。これにより、使用済みの自立性包装袋１００を廃棄するときに、独立充填室をつぶすことができ、減容化させて、自立性包装袋１００を廃棄することができる。
【００３０】
表フィルム１と裏フィルム２は、外側の基材層と内側のシーラント層の積層フィルムからなっている。また、基材層とシーラント層の間にバリア層を設けることもできる。また、その他の中間層を設けることもできる。
【００３１】
底部材３は、少なくとも外面側フィルム３ａと内面側フィルム３ｂとからなっていて、外面側フィルム３ａは、基材層からなっている。また、基材層にバリア層を設けることができる。また、他の中間層を設けることもできる。
【００３２】
内面側フィルム３ｂは、シーラント層単層でも可能であるが、シーラント層は膨らませたときに伸びてしまう恐れがあるので、第２基材層を設けて、シーラント層と積層されていることが好ましい。また、第２基材層にバリア層を設けることができる。また、他の中間層を設けることもできる。
【００３３】
基材層、第２基材層、他の中間層としては、ポリエチレンテレフタレート（ＰＥＴ）、ポリエチレンナフタレ−ト（ＰＥＮ）、ポリブチレンテレフタレート（ＰＢＴ）などのポリエステル、ポリエチレン（ＰＥ）、ポリプロピレン（ＰＰ）、ポリスチレン（ＰＳ）などのポリオレフィン、ナイロン−６、ナイロン−６６などのポリアミド（ＰＡ）、ポリカーボネート（ＰＣ）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリビニルアルコール（ＰＶＡ）、エチレン−ビニルアルコール共重合体（ＥＶＯＨ）、ポリエーテルスルフォン（ＰＥＳ）、ポリメチルメタクリレート（ＰＭＭＡ）などの延伸あるいは無延伸のフィルムを使用することができる。
【００３４】
シーラント層には、低密度ポリエチレン樹脂（ＬＤＰＥ）、中密度ポリエチレン樹脂（ＭＤＰＥ）、高密度ポリエチレン樹脂（ＨＤＰＥ）、直鎖状低密度ポリエチレン樹脂（ＬＬＤＰＥ）、ポリプロピレン樹脂（ＰＰ）、エチレン−プロピレン共重合体（ＥＰ）、エチレン−αオレフィン共重合体、エチレン−アクリル酸共重合体（ＥＡＡ）、エチレン−メタクリル酸共重合体（ＥＭＡＡ）、エチレン−メタクリル酸エステル共重合体、エチレン−アクリル酸エステル共重合体、アイオノマー樹脂、エチレン−酢酸ビニル共重合体（ＥＶＡ）などの樹脂、またはこれらの樹脂を成膜化したフィルムを使用することができる。
【００３５】
バリア層には、アルミニウム箔などの金属箔や、アルミニウムなどの金属蒸着層、あるいは、酸化アルミニウム、酸化珪素、酸化錫、酸化マグネシウム、などの無機酸化物蒸着層を設けることができる。
【００３６】
これらの層を積層する方法としては、特に限定されない。通常用いられる、ドライラミネーションや押出しラミネーション（サンドイッチラミネーションを含む）などにより積層することができる。
【００３７】
尚、底部材３の外面側フィルム３ａと内面側フィルム３ｂの間の積層は、独立充填室と連絡路７を設けるために未積層部を設けるので、未積層部を除いて接着剤をパターンで塗布して、ドライラミネーションによって積層するのが、簡単で好ましい。
【００３８】
また、印刷層を積層フィルムのおもて面に、あるいは、層と層の間に設けることができる。印刷方式も特に限定されることはなく、グラビア印刷やフレキソ印刷、あるいは、シルク印刷やインキジェット印刷などで行うことができる。
【００３９】
このような、表フィルム１、裏フィルム２、及び、底部材３を用いて、以下のようにして、本例の自立性包装袋１００を製造することができる。
【００４０】
本例の自立性包装袋１００の製造には、従来からあるスタンディングパウチの製袋機を用いることができる。製袋機で製袋した自立性包装袋１００に、連絡路７を外部と連絡させ、独立充填室６に充填物を充填するための充填口８を設ける。
【００４１】
この充填口８は、本例では、少なくとも、表フィルムと底部材３の内面側フィルム３ｂを貫通する貫通孔を半抜き加工などの手法で設けられている。貫通孔の代わりに切れ込みを入れて充填口８としても良いし、他の方法による充填口８にしてもよい。
【００４２】
この充填口８より、気体や液体、あるいは、これらと共に無機粉末や発泡樹脂などの固体を充填して膨らませ、接着剤やシーラント層を設けた封止ラベルを充填口８に貼着するなどして塞ぎ、独立充填室６を膨らませる。
【００４３】
気体などを充填する場合、図４のように、充填ノズル１２を充填口８に押し当て、裏から押さえ板１３で押さえて、充填ノズルより気体などの充填物を充填し、独立充填室６を充填物で膨らませることができる。
【００４４】
また、独立充填室６を膨らませる方法としては、気体を発生する薬剤などを充填することもできる。更には、連絡路７や充填口８を設けることなく、あらかじめ、底部材３の独立充填室６の内面に、ガスを発生する材料を塗布しておき、製袋時あるいは製袋後にガスを発生させ膨らませることもできる。
【実施例】
【００４５】
以下に、本発明の具体的実施例について説明する。
【００４６】
表フィルム１と裏フィルム２用の積層フィルムとして、外側の基材層に延伸ポリエチレンテレフタレートフィルム２５μｍと、中間層に延伸ナイロンフィルム１５μｍと、内側のシーラント層に未延伸低密度ポリエチレンフィルム６０μｍを用意し、各フィルムを順次、接着剤を用いてドライラミネーションによって積層した。
【００４７】
次に、底部材３の内面側フィルム３ｂとして、第２基材層の延伸ナイロンフィルム１５μｍと、シーラント層の未延伸低密度ポリエチレンフィルム６０μｍを用意し、接着剤を用いてドライラミネーションによって積層した。
【００４８】
底部材３の外面側フィルム３ａとして、延伸ポリエチレンテレフタレートフィルム２５μｍを用い、外面側フィルム３ａの面に、接着剤をパタンコートにより、底部材３の連絡路７と独立充填室６を設ける部分以外に塗布し、内面側フィルム３ｂの延伸ナイロンフィルムの面に積層し、底部材３用の積層フィルムを作成した。
【００４９】
表フィルム１と裏フィルム２用の積層フィルムと、底部材３用の積層フィルムをそれぞれ製袋用にスリットし、スタンディングパウチの製袋機で製袋し、半抜き加工により貫通孔を設け充填口８を作成し、上端の天シール部がシールされていないで開口部となっている、図１のような、自立性包装袋１００を作成した。
【００５０】
この自立性包装袋１００に、図４のように、充填ノズル１２を充填口８に押し当て、裏から押さえ板１３で押さえて、充填ノズル１２より窒素ガスを充填し、独立充填室６を膨らませ、自立性包装袋１００を作成した。このとき、封止ラベルを充填口８に貼って塞いでも良い。
【００５１】
この自立性包装袋１００に液体シャンプーを充填し、開口部をシールして天シール部を設け密封した。
【００５２】
この充填済みの自立性包装袋１００は、底部材３が独立充填室６によって広がった状態で保持されていて、安定して自立性が確保されている。また、１．２ｍの高さよりコンクリート面に落下しても、容易に破袋することは無かった。
【００５３】
使用後廃棄するために、易切断機構のノッチ１１から引き裂いて、独立充填室６を切断して、独立充填室６の充填物の窒素ガスを抜くことにより、扁平にして減容化することが
できた。
【符号の説明】
【００５４】
１００・・・自立性包装袋
１・・・表フィルム
２・・・裏フィルム
３、３１・・・底部材
３ａ・・・外面側フィルム
３ｂ・・・内面側フィルム
４・・・船底型シール部
５・・・切り欠き部
６・・・独立充填室
７・・・連絡路
８・・・充填口
９・・・サイドシール部
１０、１１・・・ノッチ
１２・・・充填ノズル
１３・・・押さえ板
【図１】
2015000726.tif 000003
【図２】
2015000726.tif 000004
【図３】
2015000726.tif 000005
【図４】
2015000726.tif 000006